(57)【要約】      （修正有）【課題】トレイの修理や部品交換などのメンテナンス作業を容易に行うことができる、トレイが迅速に交換可能な外観検査機機構を提供する。【解決手段】台座１０と、台座１０に回転自在に連結されるトレイ１０１と、トレイ１０１に対して接近又は離間する方向に回動自在に台座１０に枢支される可動プレート２０と、搬送装置３０と、複数の検査装置４０、４０Ａと、回収装置５０とを備える、トレイ１０１が迅速に交換可能な外観検査機機構であって、搬送装置３０、複数の検査装置４０、４０Ａ及び回収装置５０は、トレイ１０１周りに、トレイ１０１の回動方向に沿って順に配列され、搬送装置３０、回収装置５０及び複数の検査装置４０、４０Ａのうちの一部の検査装置４０Ａが台座１０上に固設され、他の検査装置４０が可動プレート２０上に固設され、可動プレート２０の回動に伴ってトレイ１０１に対して接近又は離間する。【選択図】図１
0003235113.tif 000002
【実用新案登録請求の範囲】
【請求項１】
台座と、該台座に回転自在に連結されるトレイと、該トレイに対して接近又は離間する方向に回動自在に該台座に枢支される可動プレートと、搬送装置と、複数の検査装置と、回収装置とを備える、トレイが迅速に交換可能な外観検査機機構であって、
前記搬送装置、複数の検査装置及び回収装置は、前記トレイの周りに、該トレイの回動方向に沿って順に配列され、該搬送装置、回収装置及び複数の検査装置のうちの一部が前記台座上に固設され、他の検査装置が前記可動プレート上に固設され、該可動プレートの回動に伴って該トレイに対して接近又は離間することを特徴とする、トレイが迅速に交換可能な外観検査機機構。
【請求項２】
前記可動プレートを挿通して前記台座に連結される枢軸部材を備え、該可動プレートは、該枢軸部材を軸として回動することを特徴とする請求項１に記載のトレイが迅速に交換可能な外観検査機機構。
【請求項３】
前記可動プレートを挿通して前記台座に脱着可能に連結される位置決め部材を備えることを特徴とする請求項１又は請求項２に記載のトレイが迅速に交換可能な外観検査機機構。
【請求項４】
前記位置決め部材と前記台座とは螺合により連結されることを特徴とする請求項３に記載のトレイが迅速に交換可能な外観検査機機構。
【請求項５】
前記台座の頂面に設置され、前記可動プレートの回動を規制する位置規制部材を備えることを特徴とする請求項１又は請求項２に記載のトレイが迅速に交換可能な外観検査機機構。
【請求項６】
前記台座の頂面に設置され、前記可動プレートの回動を規制する位置規制部材を備えることを特徴とする請求項３に記載のトレイが迅速に交換可能な外観検査機機構。
【請求項７】
前記台座の頂面に設置され、前記可動プレートの回動を規制する位置規制部材を備えることを特徴とする請求項４に記載のトレイが迅速に交換可能な外観検査機機構。
【請求項８】
前記可動プレートにおける、前記トレイから離れる一側に引き手が設置されることを特徴とする請求項１又は請求項２に記載のトレイが迅速に交換可能な外観検査機機構。
【請求項９】
前記可動プレートにおける、前記トレイから離れる一側に引き手が設置されることを特徴とする請求項６に記載のトレイが迅速に交換可能な外観検査機機構。
【請求項１０】
前記可動プレートにおける、前記トレイから離れる一側に引き手が設置されることを特徴とする請求項７に記載のトレイが迅速に交換可能な外観検査機機構。
【考案の詳細な説明】
【技術分野】
【０００１】
本考案は、ワークの外観を検査する外観検査機機構に関し、特に、外観検査機のトレイが迅速に交換可能な外観検査機機構に関するものである。
【背景技術】
【０００２】
従来の、ワークの外観を検査する外観検査機は、台座と、該台座上に回転自在に設置される円盤状のトレイ、該台座上に固設される搬送装置、複数の検査装置及び回収装置を備え、該搬送装置、複数の検査装置及び回収装置は、該トレイの周りに該トレイの回転方向に沿って順に配置される。
【０００３】
前記搬送装置は一般的に、振動作用により検査対象ワークを前記円盤状のトレイに送り出し、各検査対象ワークは該円盤状のトレイに載せられ、該トレイの回転に伴って、該トレイの周りに設置された前記複数の検査装置を通過して外観検査を行い、その後、前記回収装置に搬送されて、良品或いは不良品と判別された検査結果に基づいて別々に回収される。
【０００４】
従来の外観検査機の搬送装置、複数の検査装置及び回収装置はいずれも、台座上に固設されていることから、取り外しが困難であり、例えば、円盤状のトレイの修理や部品交換などのメンテナンス作業を行う際には、まずいくつかの検査装置を取り外して、該円盤状のトレイが通過できるスペースを作っておく必要があることから、メンテナンス作業に時間と手間がかかるので、改善する必要があった。
【考案の概要】
【考案が解決しようとする課題】
【０００５】
本考案は、前記従来技術の欠点に鑑みてなされたものであり、トレイの修理や部品交換などのメンテナンス作業を容易に行うことができる、トレイが迅速に交換可能な外観検査機機構を提供することを目的としている。
【課題を解決するための手段】
【０００６】
上記目的を達成するために、本考案は、台座と、該台座に回転自在に連結されるトレイと、該トレイに対して接近又は離間する方向に回動自在に該台座に枢支される可動プレートと、搬送装置と、複数の検査装置と、回収装置とを備える、トレイが迅速に交換可能な外観検査機機構であって、
前記搬送装置、複数の検査装置及び回収装置は、前記トレイの周りに、該トレイの回動方向に沿って順に配列され、該搬送装置、回収装置及び複数の検査装置のうちの一部が前記台座上に固設され、他の検査装置が前記可動プレート上に固設され、該可動プレートの回動に伴って該トレイに対して接近又は離間することを特徴とする。
【０００７】
前記可動プレートを挿通して前記台座に連結される枢軸部材を備え、該可動プレートは、該枢軸部材を軸として回動することを特徴とする。
【０００８】
前記可動プレートを挿通して前記台座に脱着可能に連結される位置決め部材を備えることを特徴とする。
【０００９】
前記位置決め部材と前記台座とは螺合により連結されることを特徴とする。
【００１０】
前記台座の頂面に設置され、前記可動プレートの回動を規制する位置規制部材を備えることを特徴とする。
【００１１】
前記可動プレートにおける、前記トレイから離れる一側に引き手が設置されることを特徴とする。
【考案の効果】
【００１２】
上述したように、本考案に係る、トレイが迅速に交換可能な外観検査機機構によれば、作業者が可動プレートの位置決め部材をリリースして、可動プレートを回動させれば、トレイが通過可能なスペースを作れるので、トレイの修理や部品交換などのメンテナンス作業を簡単かつ迅速に行うことができる。
【図面の簡単な説明】
【００１３】
【図１】本考案の第１実施例の平面図である。
【図２】本考案の第１実施例における可動プレートの斜視図である。
【図３】本考案の第１実施例における可動プレートの平面図である。
【図４】図３のＡ−Ａ線断面図である。
【図５】本考案の第１実施例における可動プレートの操作状態を示す平面図である。
【図６】本考案の第１実施例の操作状態を示す平面図である。
【図７】本考案の第２実施例における可動プレートの斜視図である。
【考案を実施するための形態】
【００１４】
本考案の技術特徴及び実用的な効果を深く理解できるように、且つ考案の内容に従って実現できるように、図面に示す好適な実施形態によって、以下のとおり詳細に説明する。
【００１５】
図１〜図６は、本考案に係る、トレイが迅速に交換可能な外観検査機機構の第１実施例を示すものであり、当該外観検査機機構は、台座１０と、トレイ１０１と、可動プレート２０と、搬送装置３０と、複数の検査装置４０、４０Ａと、回収装置５０とを備える。
【００１６】
本実施例における前記トレイ１０１は、透明なガラス円盤であり、前記台座１０上に回転自在に取り付けられ、その上に載せられた検査対象ワークを搬送するためのものである。前記可動プレート２０は、片側が該台座１０に枢支するように連結されており、図５に示すように、前記トレイ１０１に対して接近又は離間する方向に回動可能に取り付けられ、さらに、図２及び図５に示すように、該可動プレート２０の頂面に、複数の取付箇所２０１が設けられている。
【００１７】
図１及び図６に示すように、前記搬送装置３０、複数の検査装置４０、４０Ａ及び回収装置５０は、前記トレイ１０１の周りに、該トレイ１０１の回転方向に沿って順に取り付けられており、本考案の第１実施例においては、それらの構成要素が反時計回りに配列されている。その構成を具体的に述べると、前記搬送装置３０及び回収装置５０は、前記台座１０上に固設され、該複数の検査装置４０、４０Ａにおける一部の検査装置４０Ａが該台座１０上に固設され、他の検査装置４０がそれぞれ、対応する前記可動プレート２０の取付箇所２０１に装着される。尚、これらの検査装置４０は、前記可動プレート２０の回動に伴って前記トレイ１０１に対して接近又は離間することができる。ワークの検査を行う時は、まず、検査対象ワークが、前記搬送装置３０によって前記トレイ１０１に搬送され、その後、該トレイ１０１の回転に伴って前記複数の検査装置４０、４０Ａを通過しながら外観検査を行い、検査終了後、検査結果に基づいて下流側の前記回収装置５０において分類、収集される。尚、ここでの搬送装置３０、複数の検査装置４０、４０Ａ及び回収装置５０は、既存の製品であって、その作動方法は公知技術であるので、これらの構成に係る説明は省略する。
【００１８】
図２〜図５に示すように、本考案に係る外観検査機機構は、枢軸部材２１と、位置決め部材２２と、位置規制部材２３を備え、該枢軸部材２１は、前記可動プレート２０を挿通して前記台座１０に連結されることにより、該可動プレート２０が、該台座１０に回動自在に枢支され、前記トレイ１０１に対して選択的に接近又は離間可能となる。前記位置決め部材２２は、前記可動プレート２０を挿通して前記台座１０に着脱可能に連結され、該可動プレート２０のワーク検査作業時の振動による位置ずれを防止するために用いられる。尚、本考案の第１実施例においては、該位置決め部材２２と台座１０とは螺合により連結されている。前記位置規制部材２３は、前記台座１０の頂面に固設され、前記可動プレート２０が前記トレイ１０１から離れた位置から元の位置に復帰する時、該可動プレート２０の側面が該位置規制部材２３に当接することにより、該可動プレート２０及びその上の検査装置４０が元の位置に正確に復位する。
【００１９】
図１、図５及び図６に示すように、作業者が前記トレイ１０１の修理や部品交換などのメンテナンス作業を行う時は、前記位置決め部材２２を前記台座１０からリリースして、前記可動プレート２０を、前記枢軸部材２１を中心に該トレイ１０１から離れる方向へ回動させることで、該可動プレート２０及び該可動プレート２０上の検査装置４０が該トレイ１０１の周囲から取り外され、作業スペースができるようになり、これにより、作業者が該トレイ１０１を取り外したり、メンテナンスしたりすることが可能となる。当該トレイ１０１の修理や部品交換などのメンテナンス作業を終え、該トレイ１０１を元の状態にセットした後、該可動プレート２０を該トレイ１０１に接近する方向へ、前記位置規制部材２３に当接するまで回動させれば、該可動プレート２０が元の位置に復位し、最後に、位置決め部材２２を再び可動プレート２０に挿入して台座１０に螺合連結すれば、ワークの検査作業を再開することができる。
【００２０】
また、図７に示すように、本考案の第２実施例は、第１実施例とほぼ同じであるが、相違点としては、第２実施例においての可動プレート２０Ａの外形形状、及び位置決め部材２２Ａ、位置規制部材２３Ａの設置位置が異なることであり、さらなる相違点としては、作業者が操作しやすいように、可動プレート２０Ａにおけるトレイ１０１から離れた、台座１０の縁に近い片側に、引き手２０２Ａが取り付けられることである。
【００２１】
上述したように、本考案に係る、トレイが迅速に交換可能な外観検査機機構によれば、作業者が可動プレート２０の位置決め部材２２及び位置規制部材２３の操作により、可動プレート２０をトレイ１０１に対して容易に離脱又は復位させることができるので、トレイ１０１の修理や部品交換などのメンテナンス作業を簡単かつ迅速に行うことができる。
【００２２】
以上の説明は、本考案の好適な実施形態に過ぎず、本考案に対して何ら限定を行うものではない。本考案について、比較的好適な実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２３】
１０            台座
１０１          トレイ
２０、２０Ａ    可動プレート
２０１          取付箇所
２０２Ａ        引き手
２１            枢軸部材
２２、２２Ａ    位置決め部材
２３、２３Ａ    位置規制部材
３０            搬送装置
４０、４０Ａ    検査装置
５０            回収装置
【図１】
0003235113.tif 000003
【図２】
0003235113.tif 000004
【図３】
0003235113.tif 000005
【図４】
0003235113.tif 000006
【図５】
0003235113.tif 000007
【図６】
0003235113.tif 000008
【図７】
0003235113.tif 000009